(57)【要約】【課題】接触信頼性をより向上させることのできるフローティングコネクタを得る。【解決手段】フローティングコネクタ１は、２つの配線基板２、３にそれぞれ固定される一対のソケット４と、それぞれのソケット４に装着されるヘッダ５とを備えている。そして、ヘッダ５のヘッダハウジング５２は、配線基板２、３が並ぶ方向Ｙに分割され、配線基板２、３が並ぶ方向Ｙに直交する直交方向Ｘに相対移動可能に連結する分割ハウジング５２Ａ、５２Ｂを備えている。そして、それぞれの分割ハウジング５２Ａ、５２Ｂに、一対のソケット４を収容する収容凹部５３を設け、収容凹部５３にソケット４を収容した状態で、一対の分割ハウジング５２Ａ、５２Ｂがソケット４に係合するようにした。【選択図】図１
2013178982.tif 000002
【特許請求の範囲】
【請求項１】
２つの配線基板にそれぞれ固定される一対のソケットと、当該一対のソケットに装着されるヘッダとを備えるフローティングコネクタであって、
前記ヘッダはヘッダハウジングを備え、当該ヘッダハウジングは、２つの配線基板が並ぶ方向に分割され、２つの配線基板が並ぶ方向と直交する直交方向に相対移動可能に連結される一対の分割ハウジングを備えており、
前記一対の分割ハウジングには、前記ソケットを収容する収容凹部がそれぞれ設けられており、
前記収容凹部に前記ソケットを収容した状態で、前記一対の分割ハウジングが前記ソケットに係合しており、
前記一対の分割ハウジングが前記ソケットに係合した状態で、前記収容凹部には、前記ヘッダの装着方向への前記ソケットの相対移動を許容する移動許容スペースが設けられていることを特徴とするフローティングコネクタ。
【請求項２】
前記一対の分割ハウジングが前記ソケットに係合した状態で、前記収容凹部には、２つの配線基板が並ぶ方向への前記ソケットの相対移動を許容する移動許容スペースが設けられていることを特徴とする請求項１に記載のフローティングコネクタ。
【請求項３】
前記一対の分割ハウジングに形成された係止突起を前記ソケットに形成された係止部に係止することで、前記一対の分割ハウジングが前記ソケットに係合しており、
前記係止突起は、前記一対の分割ハウジングの前記収容凹部を画成する側壁に形成されていることを特徴とする請求項１または請求項２に記載のフローティングコネクタ。
【請求項４】
前記一対の分割ハウジングの前記収容凹部を画成する側壁の前記係止突起の近傍に、前記一対の分割ハウジングと前記ソケットとの係合を解除する治具を引っ掛ける引掛部が形成されていることを特徴とする請求項３に記載のフローティングコネクタ。
【請求項５】
前記ヘッダを前記一対のソケットに装着した状態で、前記ヘッダハウジングの２つの配線基板が配置される側における前記一対のソケットの間には凹部が形成されていることを特徴とする請求項１〜４のうちいずれか１項に記載のフローティングコネクタ。
【請求項６】
前記ヘッダはポストを備えており、当該ポストの両端部には、前記ソケットのコンタクトに接触する接触部が設けられ、中央部には、前記一対の分割ハウジングの相対移動に伴って撓み変形する変形部が設けられていることを特徴とする請求項１〜５のうちいずれか１項に記載のフローティングコネクタ。
【請求項７】
前記ポストは、前記ヘッダハウジングの表面側から取り付けられており、前記ポストと前記配線基板との間には前記ヘッダハウジングが介在していることを特徴とする請求項６に記載のフローティングコネクタ。
【請求項８】
前記ポストには、当該ポストを前記ヘッダハウジングの表面側から取り付けた際に、前記収容凹部の底面に突き当たって前記ポストの離脱側への移動を抑制する突き当たり部が設けられていることを特徴とする請求項６に記載のフローティングコネクタ。
【請求項９】
前記ポストを前記ヘッダハウジングの表面側から取り付けた際に、前記ポストの表面が前記ヘッダハウジングの表面よりも下方に位置していることを特徴とする請求項６〜８のうちいずれか１項に記載のフローティングコネクタ。
【発明の詳細な説明】
【技術分野】
【０００１】
本発明は、フローティングコネクタに関する。
【背景技術】
【０００２】
従来、フローティングコネクタとして、接続しようとする２つの配線基板にそれぞれ固定された一対のソケットと、一対のソケットに跨がって取り付けられるヘッダと、を備えたものが知られている（例えば、特許文献１参照）。
【０００３】
この特許文献１では、一対のソケットに設けられたコンタクトの形状を円弧状とすることで、コンタクトとヘッダに設けられた接触部との導通を確保しつつ、２つの配線基板が並ぶ方向と直交する方向へのずれを吸収できるようにしている。
【先行技術文献】
【特許文献】
【０００４】
【特許文献１】特開２０１０−２３２１５５号公報
【発明の概要】
【発明が解決しようとする課題】
【０００５】
かかる従来のフローティングコネクタでは、ヘッダハウジングのフックをソケットハウジングの引掛部に引っ掛けることで、ヘッダの抜去方向への移動は規制されるようにしている。しかしながら、２つの配線基板が並ぶ方向へのヘッダの移動については何ら規制されていない。そのため、２つの配線基板が離反する方向に大きく移動した場合等に、ヘッダに設けられたポストがソケットに設けられたコンタクトから抜け出てしまうおそれがあった。
【０００６】
そこで、本発明は、接触信頼性をより向上させることのできるフローティングコネクタを得ることを目的とする。
【課題を解決するための手段】
【０００７】
本発明の第１の特徴は、２つの配線基板にそれぞれ固定される一対のソケットと、当該一対のソケットに装着されるヘッダとを備えるフローティングコネクタであって、前記ヘッダはヘッダハウジングを備え、当該ヘッダハウジングは、２つの配線基板が並ぶ方向に分割され、２つの配線基板が並ぶ方向と直交する直交方向に相対移動可能に連結される一対の分割ハウジングを備えており、前記一対の分割ハウジングには、前記ソケットを収容する収容凹部がそれぞれ設けられており、前記収容凹部に前記ソケットを収容した状態で、前記一対の分割ハウジングが前記ソケットに係合しており、前記一対の分割ハウジングが前記ソケットに係合した状態で、前記収容凹部には、前記ヘッダの装着方向への前記ソケットの相対移動を許容する移動許容スペースが設けられていることを要旨とする。
【０００８】
本発明の第２の特徴は、前記収容凹部には、２つの配線基板が並ぶ方向への前記ソケットの相対移動を許容する移動許容スペースが設けられていることを要旨とする。
【０００９】
本発明の第３の特徴は、前記一対の分割ハウジングに形成された係止突起を前記ソケットに形成された係止部に係止することで、前記一対の分割ハウジングが前記ソケットに係合しており、前記係止突起は、前記一対の分割ハウジングの前記収容凹部を画成する側壁に形成されていることを要旨とする。
【００１０】
本発明の第４の特徴は、前記一対の分割ハウジングの前記収容凹部を画成する側壁の前記係止突起の近傍に、前記一対の分割ハウジングと前記ソケットとの係合を解除する治具を引っ掛ける引掛部が形成されていることを要旨とする。
【００１１】
本発明の第５の特徴は、前記ヘッダを前記一対のソケットに装着した状態で、前記ヘッダハウジングの２つの配線基板が配置される側における前記一対のソケットの間には凹部が形成されていることを要旨とする。
【００１２】
本発明の第６の特徴は、前記ヘッダはポストを備えており、当該ポストの両端部には、前記ソケットのコンタクトに接触する接触部が設けられ、中央部には、前記一対の分割ハウジングの相対移動に伴って撓み変形する変形部が設けられていることを要旨とする。
【００１３】
本発明の第７の特徴は、前記ポストは、前記ヘッダハウジングの表面側から取り付けられており、前記ポストと前記配線基板との間には前記ヘッダハウジングが介在していることを要旨とする。
【００１４】
本発明の第８の特徴は、前記ポストには、当該ポストを前記ヘッダハウジングの表面側から取り付けた際に、前記収容凹部の底面に突き当たって前記ポストの離脱側への移動を抑制する突き当たり部が設けられていることを要旨とする。
【００１５】
本発明の第９の特徴は、前記ポストを前記ヘッダハウジングの表面側から取り付けた際に、前記ポストの表面が前記ヘッダハウジングの表面よりも下方に位置していることを要旨とする。
【発明の効果】
【００１６】
本発明によれば、ヘッダハウジングは、２つの配線基板が並ぶ方向に分割され、２つの配線基板が並ぶ方向と直交する直交方向に相対移動可能に連結される一対の分割ハウジングを備えている。そのため、２つの配線基板が並ぶ方向と直交する直交方向に２つの配線基板がずれた場合であっても、一対の分割ハウジングが直交方向に相対移動してそのずれを吸収することができる。
【００１７】
このとき、一対の分割ハウジングにソケットを収容する収容凹部をそれぞれ設け、収容凹部にソケットを収容した状態で、一対の分割ハウジングがソケットに係合するようにした。そのため、ヘッダとソケットとが設定量以上に相対移動してしまうのを抑制することができるようになる。その結果、フローティングコネクタの接触信頼性をより向上させることができる。
【図面の簡単な説明】
【００１８】
【図１】本発明の第１実施形態にかかるフローティングコネクタを示す図であって、（ａ）は、フローティングコネクタの平面図、（ｂ）は、フローティングコネクタの側面図である。
【図２】本発明の第１実施形態にかかるフローティングコネクタを示す断面図であって、（ａ）は、図１（ａ）のＡ−Ａ断面図、（ｂ）は、図１（ａ）のＢ−Ｂ断面図である。
【図３】本発明の第１実施形態にかかるソケットを配線基板に固定した状態を示す一部破断平面図である。
【図４】本発明の第１実施形態にかかるソケットを示す図であって、（ａ）は、ソケットを背面側から見た斜視図、（ｂ）は、ソケットを正面側から見た斜視図である。
【図５】本発明の第１実施形態にかかるソケットを分解して示す図であって、（ａ）は、ソケットを背面側から見た分解斜視図、（ｂ）は、ソケットを正面側から見た分解斜視図である。
【図６】本発明の第１実施形態にかかるヘッダを表側から見た斜視図である。
【図７】本発明の第１実施形態にかかるヘッダを裏側から見た斜視図である。
【図８】本発明の第１実施形態にかかるヘッダを表側から見た分解斜視図である。
【図９】本発明の第１実施形態にかかるヘッダを裏側から見た分解斜視図である。
【図１０】本発明の第１実施形態にかかるソケットの上面から係合凹部までのＺ方向距離とヘッダの収容凹部上面から係止突起までのＺ方向距離とを比較して示す斜視図である。
【図１１】本発明の第１実施形態にかかるヘッダのＸ方向へのフローティング時の挙動状態を示す平面図である。
【図１２】本発明の第１実施形態にかかるヘッダのＹ方向へのフローティング時の挙動状態を示す図であって、（ａ）は、２つの接続基板を接近させた状態を示す断面図、（ｂ）は、２つの接続基板を離間させた状態を示す断面図である。
【図１３】本発明の第１実施形態にかかるヘッダのＺ方向へのフローティング時の挙動状態を示す図であって、（ａ）は、２つの接続基板を互いに対向する側が上方となるように傾斜させた状態を示す断面図、（ｂ）は、２つの接続基板を互いに対向する側が下方となるように傾斜させた状態を示す断面図である。
【図１４】本発明の第１実施形態にかかるフローティングコネクタおよびショート用のコネクタの使用状態を模式的に説明する説明図である。
【図１５】本発明の第１実施形態にかかるヘッダのソケットからの取り外し方法を示す図である。
【図１６】第１比較例にかかるフローティングコネクタを示す斜視図である。
【図１７】本発明の第２実施形態にかかるフローティングコネクタを示す図であって、（ａ）は、フローティングコネクタを裏側から見た斜視図、（ｂ）は、ポストの接触部をＸ方向から視た図、（ｂ）は、ポストの接触部をＹ方向から視た図である。
【図１８】本発明の第２実施形態にかかるフローティングコネクタの裏面図である。
【図１９】比較例として示す第１実施形態のヘッダがＺ方向へフローティングする際の挙動を示す図であって、（ａ）は、２つの接続基板を接近させた状態におけるヘッダのＺ方向へのフローティング時の挙動を示す側面図、（ｂ）は、２つの接続基板を離間させた状態におけるヘッダのＺ方向へのフローティング時の挙動を示す側面図である。
【図２０】本発明の第２実施形態にかかるヘッダがＺ方向へフローティングする際の挙動を示す図であって、（ａ）は、２つの接続基板を接近させた状態におけるヘッダのＺ方向へのフローティング時の挙動を示す側面図、（ｂ）は、２つの接続基板を離間させた状態におけるヘッダのＺ方向へのフローティング時の挙動を示す側面図である。
【図２１】比較例として示す第１実施形態のヘッダをソケットに取り付ける際に起こりうる現象を模式的に説明する図である。
【発明を実施するための形態】
【００１９】
以下、本発明の実施形態について図面を参照しつつ詳細に説明する。以下では、２つの配線基板が並ぶ方向をＹ方向、ヘッダの着脱方向（装着方向）をＺ方向、ヘッダの着脱方向に垂直な平面における２つの配線基板が並ぶ方向と直交する方向（直交方向）をＸ方向として説明する。そして、ソケットの相手側のソケットと対向する側をソケットの対向側として説明する。
【００２０】
また、以下の複数の実施形態には、同様の構成要素が含まれている。よって、以下では、それら同様の構成要素には共通の符号を付与するとともに、重複する説明を省略する。
【００２１】
（第１実施形態）
本実施形態にかかるフローティングコネクタ１は、ソケット４とヘッダ５とを備えている。このフローティングコネクタ１は、ヘッダ５を一対のソケット４に跨って装着することで、２つの配線基板２、３を、ＸＹ平面（ヘッダ５の着脱方向に垂直な平面）方向の位置ずれを吸収しつつ電気的に接続するようにしたものである。さらに、本実施形態にかかるフローティングコネクタ１は、ヘッダ５を一対のソケット４に跨って装着することで、２つの配線基板２、３を、Ｚ方向（ヘッダ５の着脱方向：装着方向）の位置ずれを吸収しつつ電気的に接続するようにしたものでもある。
【００２２】
ソケット４は、図２（ａ）および図２（ｂ）に示すように一対設けられており、それら一対のソケット４は、個々の配線基板２、３にそれぞれ固定されている。それぞれのソケット４は、図４，５に示すように、配線基板２、３に実装されるコンタクト４１を有しており、このコンタクト４１をソケットハウジング４２内に収納することで、ソケット４が形成されている。
【００２３】
一方、ヘッダ５は、図２（ａ）および図２（ｂ）に示すように、一対のソケット４に跨がって装着されており、装着時には、ヘッダ５がソケット４を全体的に覆っている。そして、このヘッダ５は、図１に示すように、ソケット４のコンタクト４１に接触するポスト５１を有しており、このポスト５１をヘッダハウジング５２内に収納することで、ヘッダ５が形成されている。
【００２４】
ソケット４は、図４（ａ）および図５（ａ）では、奥側が相手側のソケット４に対向する側（対向側）となり、図４（ｂ）および図５（ｂ）では、手前側が相手側のソケット４に対向する側（対向側）となっている。
【００２５】
本実施形態では、１つのソケット４には、図５（ａ）、（ｂ）に示すように、コンタクト４１が２つ設けられており、それぞれのコンタクト４１は、断面Ｕ字状に折曲された基部４１１を有している。そして、基部４１１の両側（Ｘ方向両側）からは、接触端子となる一対の先端部４１２がソケット４の対向側に向けて突設されている。一対の先端部４１２は互いに近接する方向（Ｘ方向内側）に折曲されており、弾性変形可能に形成されている。そして、一対の先端部４１２の先端には互いに対向するように突出する接触点４１３が設けられている。また、基部４１１の底部には配線基板２、３のプリント配線にハンダ付けなどにより実装される端子部４１４が突設されている。この端子部４１４は、基部４１１の底部の対向側とは反対側（ソケット４の対向側とは反対側）に向けて突設されている。
【００２６】
ソケットハウジング４２は、図５（ａ）に示すように、全体的に扁平な直方体の筺形状をしており、ソケット４の対向側とは反対側の側面４２Ｆ１の両側部には、２つのコンタクト４１を挿入する矩形状の開口部４２１が一対形成されている。また、ソケットハウジング４２のＸ方向両側部には、図５（ｂ）に示すように、ソケットハウジング４２の上面４２Ｆ２からソケット４の対向側の側面４２Ｆ３に亘って、Ｙ方向に沿ってヘッダ５のポスト５１を挿入するスリット状のポスト挿入口４２２が一対形成されている。そして、コンタクト４１を、先端部４１２側から開口部４２１に挿入して当該コンタクト４１をソケットハウジング４２内に収納した状態で、先端部４１２がポスト挿入口４２２に位置するようにしている。
【００２７】
また、ソケットハウジング４２の対向側（ソケット４の対向側）の側面４２Ｆ３の中央部には、ソケットハウジング４２の側面４２Ｆ３側を配線基板２、３に固定する保持金具４３を挿入するための挿入口４２３が形成されている。この挿入口４２３に保持金具４３の本体部４３１を圧入して固定した状態で、端子部４３２を配線基板２、３にハンダ付けするとともに、上述した端子部４１４を配線基板２、３にハンダ付けすることで、一対のソケット４が配線基板２、３にそれぞれ固定される（図３参照）。さらに、本実施形態では、ソケットハウジング４２のＸ方向の両側面４２Ｆ４には、後述するヘッダハウジング５２の係止突起５２ｂを引っ掛けて係止する引掛係止部（係止部）４２４ａがそれぞれ形成されている。
【００２８】
本実施形態では、図４に示すように、ソケットハウジング４２のＸ方向の両側面４２Ｆ４の中央部から下部にかけて凹む凹部４２５を形成することで、下方に開口する略Ｕ字状の突部４２４を形成している。そして、ヘッダハウジング５２がソケットハウジング４２に対してＺ方向上方に相対移動した際に、突部４２４の上部（引掛係止部４２４ａ）にヘッダハウジング５２の係止突起５２ｂが引っ掛かって係止されるようになっている。すなわち、このヘッダハウジング５２の係止突起５２ｂが引掛係止部４２４ａに引っ掛けられることで、ヘッダハウジング５２のソケットハウジング４２に対するＺ方向上方への相対移動が規制される。なお、突部４２４の側部４２４ｂは、ヘッダハウジング５２のソケットハウジング４２に対するＹ方向への相対移動を規制するものである。また、ヘッダハウジング５２のソケットハウジング４２に対するＹ方向への相対移動によって、引掛係止部４２４ａとヘッダハウジング５２の係止突起５２ｂとの係止が解除されてしまうのを抑制する機能も有している。
【００２９】
一方、ヘッダハウジング５２は、図８、９に示すように、Ｙ方向のほぼ中央部において、２つの配線基板２、３が並ぶ方向（Ｙ方向）に分割された第１の分割ハウジング５２Ａと第２の分割ハウジング５２Ｂとを備えている。そして、それぞれの分割ハウジング５２Ａ、５２Ｂが突き合わされる連結部５２Ｃには、図８、９に示すように、摺動凹部５２１が形成されている。本実施形態では、摺動凹部５２１は、第１の分割ハウジング５２Ａの表面側中央部（Ｘ方向中央部）に形成されている。そして、摺動凹部５２１のＸ方向幅両端には、内面間の幅（Ｘ方向幅）がＷ１となる段差部５２１ａが形成されている。
【００３０】
また、第２の分割ハウジング５２Ｂの中央部には、Ｘ方向幅が摺動凹部５２１の幅Ｗ１よりも小幅のＷ２（Ｗ２＜Ｗ１）となる突出部５２２が形成されている（図８参照）。
【００３１】
そして、摺動凹部５２１の両段差部５２１ａ間に突出部５２２を重ね合わせるようにして摺動可能に嵌合することで、第１および第２の分割ハウジング５２Ａ、５２Ｂは、Ｘ方向にＷ１−Ｗ２の幅で相対移動できるように連結される。このとき、連結部５２Ｃには、摺動凹部５２１の両側先端部および突出部５２２の先端部に、相手側の分割ハウジング５２Ｂ、５２Ａに形成した嵌合凹部５２３、５２４にほぼ密接して所定量挿入される突起部５２５、５２６が設けられている（図８、９参照）。このときの挿入量、つまり嵌合凹部５２３、５２４の深さ（Ｙ方向深さ）および突起部５２５、５２６の突出量（Ｙ方向突出量）は、ヘッダ５をソケット４から抜去する際に、ヘッダ５の連結部５２Ｃが折れ曲がってしまうのを効果的に抑制できる程度に設定するのが好ましい。
【００３２】
ポスト５１は、図８、９に示すように、一対のコンタクト４１に対応してＸ方向に一対配置されている。ポスト５１は、全体的にＹ方向に細長い板状をしており、幅Ｗ３方向がＺ方向となるように配置される。ポスト５１のＹ方向両端部には、コンタクト４１の先端部４１２（接触点４１３）に接触する接触部５１１が設けられている。また、ポスト５１のＹ方向の中央部分には、第１および第２の分割ハウジング５２Ａ、５２ＢのＸ方向の相対移動に伴って撓み変形（図１１参照）する変形部５１２が設けられている。変形部５１２は、幅Ｗ３方向（Ｚ方向）の寸法を小さくして細身とすることにより形成されている。
【００３３】
また、ポスト５１の接触部５１１と変形部５１２との間には固定部５１３が設けられている。この固定部５１３は、変形部５１２と接触部５１１とを連結するＺ方向に細幅の連結部５１４から、略一定の幅Ｗ４（図８、９参照）をもってＺ方向に突出させることにより形成される。
【００３４】
ここで、本実施形態では、第１および第２の分割ハウジング５２Ａ、５２Ｂに、図９に示すように、ソケットハウジング４２を全体的に収容する収容凹部５３をそれぞれ設けている。この収容凹部５３のＸ方向両側には、第１および第２の分割ハウジング５２Ａ、５２Ｂの収容凹部５３を画成する側壁５２ａが形成されている。そして、側壁５２ａの内面には、ソケットハウジング４２の引掛係止部４２４ａに係止される係止突起５２ｂがそれぞれＸ方向内側に突出するように設けられている。すなわち、本実施形態では、収容凹部５３内にソケットハウジング４２を収容させた際に、係止突起５２ｂが引掛係止部４２４ａに係止されて抜去方向にロックできるようになっている。言い換えると、第１および第２の分割ハウジング５２Ａ、５２Ｂに形成された係止突起５２ｂをソケット４に形成された引掛係止部４２４ａに係止することで、第１および第２の分割ハウジング５２Ａ、５２Ｂがソケット４に係合するようになっている。
【００３５】
また、本実施形態では、ヘッダハウジング５２の係止突起５２ｂが形成された部位の上部にスリット状の貫通孔５２ｃが形成されており、側壁５２ａの係止突起５２ｂが形成された部位がＸ方向外側に撓みやすくなるようにしている。そして、平面視で貫通孔５２ｃのＹ方向中央部に係止突起５２ｂが位置するように、係止突起５２ｂが側壁５２ａに設けられている（図１（ａ）参照）。こうすれば、側壁５２ａにおける撓み変形する際の変位量が大きい部位に係止突起５２ｂが設けられることとなり、ヘッダ５をソケット４に装着する際に、ヘッダ５をソケット４により容易に装着することができるようになる。
【００３６】
また、収容凹部５３は、ヘッダハウジング５２のＹ方向両端部に位置するように一対設けられており、ソケットハウジング４２のＺ方向高さとほぼ等しい深さＤ１と、ソケットハウジング４２のＸ方向幅とほぼ等しい幅Ｗ５とを有している。したがって、ヘッダハウジング５２をソケット４に被せた際には、ソケットハウジング４２がＺ方向およびＸ方向にほぼ密接した状態で収容凹部５３内に収容されて、第１および第２の分割ハウジング５２Ａ、５２Ｂがソケット４に係合することとなる。なお、本実施形態では、ヘッダハウジング５２の裏面（配線基板２、３の表面２ｂ、３ｂとの当接面）５２ｄから収容凹部５３の底面（第１および第２の分割ハウジング５２Ａ、５２Ｂの天面５２ｅ）までの距離を深さＤ１としている。
【００３７】
また、収容凹部５３には、図２（ａ）および図２（ｂ）に示すように、ソケット４に収容されて第１および第２の分割ハウジング５２Ａ、５２Ｂがソケット４に係合した状態で、Ｙ方向に所定量の相対移動を許容する移動許容スペースＳが設けられている。この移動許容スペースＳは、図２（ｂ）において、ソケット４のＹ方向両側に設けられるスペースＳ１、Ｓ２を合算した量となる。したがって、上述した係止突起５２ｂは、ヘッダハウジング５２（第１および第２の分割ハウジング５２Ａ、５２Ｂ）がソケット４に対してＹ方向へＳ１＋Ｓ２だけ相対移動できるように、Ｙ方向に遊びを持った状態で引掛係止部４２４ａに係止されることとなる。すなわち、係止突起５２ｂを引掛係止部４２４ａに係止させた状態で、ヘッダ５がソケット４に対してＹ方向へ相対移動できるようにしている。
【００３８】
さらに、収容凹部５３には、図１３に示すように、ソケット４を収容して第１および第２の分割ハウジング５２Ａ、５２Ｂがソケット４に係合した状態で、Ｚ方向に所定量の相対移動を許容する移動許容スペースＳ３が設けられている。
【００３９】
本実施形態では、図１０に示すように、引掛係止部４２４ａの厚さ（Ｚ方向厚さ）Ｄ２よりも係止突起５２ｂから収容凹部５３の底面（第１および第２の分割ハウジング５２Ａ、５２Ｂの天面５２ｅ）までの距離Ｄ３のほうが大きくなるようにしている。このように、Ｄ２＜Ｄ３となるようにすることで、ソケット４を収容して第１および第２の分割ハウジング５２Ａ、５２Ｂがソケット４に係合した状態で、Ｚ方向に所定量の相対移動を許容する移動許容スペースＳ３（Ｄ３−Ｄ２）が設けられるようにしている。すなわち、係止突起５２ｂを引掛係止部４２４ａに係止させた状態で、ヘッダ５がソケット４に対してＺ方向へ相対移動できるようにしている。
【００４０】
また、本実施形態では、図６および図８に示すように、ヘッダハウジング５２の表面５２ｆ側には、ポスト５１を収納するための収容溝５２ｇが形成されており、ヘッダハウジング５２の表面５２ｆ側からポスト５１を収納するようになっている。具体的には、第１の分割ハウジング５２Ａには、収容凹部５３と摺動凹部５２１との間の肉厚部５２７のＸ方向両側部に、ポスト５１の肉厚幅よりも僅かに狭い取付溝５２８が形成されており、第２の分割ハウジング５２Ｂには、収容凹部５３と連結部５２Ｃ側端との間の肉厚部５２９のＸ方向両側部に同様の取付溝５２８が形成されている。そして、第１および第２の分割ハウジング５２Ａ、５２Ｂを図６に示すように結合させた状態で、ポスト５１の固定部５１３を取付溝５２８に圧入するようになっている。
【００４１】
このとき、それぞれの収容凹部５３の底面（第１および第２の分割ハウジング５２Ａ、５２Ｂの天面５２ｅ）には、ポスト５１の接触部５１１の一側を嵌合する浅溝（貫通孔）５２８ａが取付溝５２８から連続して形成されており、浅溝５２８ａに接触部５１１を貫通させることで、当該接触部５１１を安定的に固定できるようにしている。
【００４２】
したがって、ヘッダ５にポスト５１を組み付けた後は、固定部５１３が第１および第２の分割ハウジング５２Ａ、５２Ｂの取付溝５２８にそれぞれ圧入された状態で固定されている。そのため、第１および第２の分割ハウジング５２Ａ、５２Ｂは、ポスト５１によって連結状態が保持され、Ｙ方向に分離するのが抑制されることとなる。
【００４３】
また、本実施形態では、図２（ａ）および図６に示すように、ポスト５１をヘッダハウジング５２の表面５２ｆ側から取り付けた際に、ポスト５１の表面５１ａがヘッダハウジング５２の表面５２ｆよりも下方に位置するようになっている。具体的には、ヘッダハウジング５２の収容溝５２ｇのＹ方向両端に、ヘッダハウジング５２の表面５２ｆよりも低くなる段差部５２ｈを形成し、ポスト５１の表面５１ａが段差部５２ｈの段差面とほぼ同一の高さになる位置までポスト５１を圧入させている。このように、ポスト５１を段差部５２ｈの高さまで圧入することで、ポスト５１の表面５１ａがヘッダハウジング５２の表面５２ｆよりも下方に位置するようにしている。このとき、段差部５２ｈの深さおよびＸ方向幅は、人体（作業者の手など）がポスト５１に直接触れることができないように設定するのが好適である。
【００４４】
以上の構成をしたフローティングコネクタ１は、以下のようにして組み付けられる。
【００４５】
まず、ソケット４を図４に示すように組み立てた後、コンタクト４１の端子部４１４および保持金具４３の端子部４３２をそれぞれの配線基板２、３にハンダ付けする（図３参照）。こうして、図２（ａ）、図２（ｂ）に示すように、一対のソケット４が配線基板２、３にそれぞれ対向して固定される。
【００４６】
そして、図８、９に示すように、第１および第２の分割ハウジング５２Ａ、５２Ｂの突起部５２５、５２６を、相手側の分割ハウジング５２Ｂ、５２Ａの嵌合凹部５２３、５２４に挿入して両分割ハウジング５２Ａ、５２Ｂを結合する。こうして形成されたヘッダハウジングの収容溝５２ｇにポスト５１を圧入することで、ヘッダ５が組み立てられる。
【００４７】
そして、配線基板２、３に固定された一対のソケット４に跨がってヘッダ５を配置し、このヘッダ５のＹ方向両端部の収容凹部５３をそれぞれのソケット４に被せて、係止突起５２ｂを引掛係止部４２４ａに係止させることで、ヘッダ５がソケット４に装着される。
【００４８】
このとき、ポスト５１の接触部５１１がソケットハウジング４２のポスト挿入口４２２から挿入されて、コンタクト４１の先端部４１２間に挟持される。これにより、一対のソケット４はヘッダ５を介して導通状態となり、ひいては２つの配線基板２、３が電気的に接続される。
【００４９】
こうして、フローティングコネクタ１の配線基板２、３への組み付けが完了する。このとき、本実施形態では、ポスト５１と配線基板２、３との間にヘッダハウジング５２が介在するようにしている。具体的には、図２（ａ）、図２（ｂ）に示すように、配線基板２または配線基板３とポスト５１の変形部５１２との間に段差部５２１ａが介在するようにしている。すなわち、Ｚ方向に配線基板２（３）、段差部５２１ａ、変形部５１２の順に配置されるようにしている。
【００５０】
次に、本実施形態にかかるフローティングコネクタ１の使用例を説明する。なお、この使用例は一例であり、フローティングコネクタ１の使用方法はこの使用例に限られるものではない。
【００５１】
図１４に示すように、本実施形態にかかるフローティングコネクタ１は、ＬＥＤ６１が実装された配線基板６０同士を電気的に接続するために用いることができる。図１４では、４つの配線基板６０を直列に接続したものを開示している。そして、図１４の一番左側の配線基板６０には、ＬＥＤ６１の他に電源回路６２が実装されており、その他の３つの配線基板６０には、ＬＥＤ６１は実装されているが、電源回路６２は実装されていない。また、電源回路６２が実装された図１４の一番左側の配線基板６０の左側には、ボードｔｏワイヤタイプのコネクタ６３が実装されており、外部電源（図示せず）に接続されて電源を供給できるようになっている。一方、図１４の一番左側の配線基板６０の右側には、上述したソケット４が固定されている。また、その他の３つの配線基板６０は、左右両側に、ソケット４が固定されている。
【００５２】
そして、図１４の一番左側の配線基板６０の右側に固定されたソケット４および図１４の左から２番目の配線基板６０の左側に固定されたソケット４に跨って上述のヘッダ５を装着することで、図１４の一番左側の配線基板６０と図１４の左から２番目の配線基板６０とが電気的に接続される。図１４の左から２番目の配線基板６０と図１４の右から２番目の配線基板６０との接続、図１４の一番右側の配線基板６０と図１４の右から２番目の配線基板６０との接続も同様である。そして、図１４の一番右側の配線基板６０の右側に固定されたソケット４は、ショート用のヘッダ５Ｄを装着することでショートさせている。図１４に示すように、ショート用のヘッダ５Ｄは、Ｕ字状に折曲したポスト５１Ｄをヘッダハウジング５２Ｄに取り付けることで形成されている。そして、このショート用のヘッダ５Ｄをソケット４に装着した際に、ポスト５１Ｄを一対のコンタクト４１にそれぞれ接触させることで、一対のコンタクト４１を短絡させている。
【００５３】
このように、ショート用のヘッダ５Ｄを用いることで、従来のように、ジャンパピン等を用いてショートさせる必要がなくなり、ジャンパピンの取り付けが可能な配線基板を用いる必要がなくなる。すなわち、図１４の配線基板６０のうちいずれの配線基板を用いても回路をショートさせることができるようになり、配線基板の汎用性を高めることができる。
【００５４】
このように、ヘッダ５およびショート用のヘッダ５Ｄを用い、それぞれの配線基板６０を電気的に接続することで、それぞれの配線基板に実装されたＬＥＤ６１を点灯させることができるようになる。このとき、上述したフローティングコネクタ１を用いているため、互いに隣り合う配線基板６０がＸ方向、Ｙ方向およびＺ方向のいずれに相対移動したとしても、その位置ずれを吸収することができる。
【００５５】
ところで、本実施形態では、ヘッダ５をソケット４に着脱可能に装着させている。すなわち、上述のようにしてソケット４に装着したヘッダ５を取り外すことができるようになっている。
【００５６】
具体的には、図１５に示すように、治具７０を用いてヘッダ５を取り外すようになっている。この治具７０は、第１および第２の分割ハウジング５２Ａ、５２Ｂとソケット４との係合を解除するものである。
【００５７】
本実施形態では、治具７０は、平板状の押圧部７１と、押圧部７１の下端から押圧部７１と交差する方向に突出したフック部７２とを備えている。
【００５８】
そして、第１および第２の分割ハウジング５２Ａ、５２Ｂの収容凹部５３を画成する側壁５２ａの係止突起５２ｂの近傍に、治具７０のフック部７２を引っ掛ける凹部（引掛部）５２ｉが形成されている。
【００５９】
そして、治具７０のフック部７２を凹部５２ｉに引っ掛けた状態で、押圧部７１を図１５の矢印Ａ方向に押圧させることで、係止突起５２ｂが形成された側壁５２ａがＸ方向外側に撓み、係止突起５２ｂと引掛係止部４２４ａとの係止が解除される。その結果、第１および第２の分割ハウジング５２Ａ、５２Ｂとソケット４との係合が解除され、ヘッダ５を取り外すことができるようになる。
【００６０】
以上説明したように、本実施形態によれば、ヘッダハウジング５２をＹ方向に分割した第１および第２の分割ハウジング（一対の分割ハウジング）５２Ａ、５２Ｂで構成している。そして、それぞれの分割ハウジング５２Ａ、５２Ｂを、摺動凹部５２１および突出部５２２を介してＸ方向に相対移動可能に連結している。したがって、２つの配線基板２、３がＸ方向にずれた場合であっても、図１１に示すように、それぞれの分割ハウジング５２Ａ、５２Ｂが相対移動してそのずれを吸収することができる。
【００６１】
また、それぞれの分割ハウジング５２Ａ、５２Ｂに、一対のソケット４を収容する収容凹部５３をそれぞれ設け、収容凹部５３にソケット４を収容した状態で、第１および第２の分割ハウジング５２Ａ、５２Ｂがソケット４に係合するようにした。そのため、収容凹部５３によってヘッダ５とソケット４とがＸ方向に相対移動してしまうのを抑制することができる上、Ｙ方向にも設定量である移動許容スペースＳを超えて相対移動してしまうのを抑制することができる。さらに、Ｚ方向にも設定量である移動許容スペースＳ３を超えて相対移動してしまうのを抑制することができる。その結果、２つの配線基板２、３がＹ方向およびＺ方向に設定量以上に大きくずれてしまうのが抑制され、コンタクト４１とポスト５１との接触状態を常に維持することが可能となる。
【００６２】
このように、本実施形態によれば、フローティングコネクタ１の接触信頼性をより向上させることができる。
【００６３】
また、本実施形態によれば、ポスト５１の中央部分に、分割ハウジング５２Ａ、５２Ｂの相対移動に伴って撓み変形する変形部５１２を設けている。その結果、２つの配線基板２、３のＸ方向への相対的な位置ずれをポスト５１自体の撓み変形によって吸収することができるため、ポスト５１の構成を簡素化して安価な製品を提供することができる。また、Ｙ方向に細長い板状のポスト５１の中央部分を変形させるようにすることで、可動部が長く取れるため、ポスト５１がへたってしまうのが抑制され、分割ハウジング５２Ａ、５２Ｂをスムーズに可動（相対移動）させることができるようになるという利点もある。
【００６４】
また、本実施形態によれば、収容凹部５３に移動許容スペースＳ（＝Ｓ１＋Ｓ２）を設け、収容凹部５３にソケット４を嵌合させた状態でヘッダ５のソケット４に対するＹ方向への所定量（Ｓ１＋Ｓ２）の相対移動を許容できるようにしている。そのため、２つの配線基板２、３がＹ方向にずれた場合であっても、分割ハウジング５２Ａ、５２Ｂがソケット４に対して相対移動してそのずれを吸収することができるようになる（図１２（ａ）、（ｂ）参照）。このとき、ポスト５１の接触部５１１とコンタクト４１の先端部４１２とが相対的に摺動するが、接触部５１１の長さを移動許容スペースＳの距離よりも長くし、分割ハウジング５２Ａ、５２Ｂが許容範囲内で移動した場合に、接触部５１１がコンタクト４１から外れないようにするのが好適である。こうすれば、コンタクト４１とポスト５１との接触状態を常に維持することができる。
【００６５】
また、本実施形態によれば、収容凹部５３に移動許容スペースＳ３を設け、収容凹部５３にソケット４を嵌合させた状態でヘッダ５のソケット４に対するＺ方向への所定量（Ｄ３−Ｄ２）の相対移動を許容できるようにしている。そのため、２つの配線基板２、３がＺ方向にずれた場合であっても、分割ハウジング５２Ａ、５２Ｂがソケット４に対して相対移動してそのずれを吸収することができるようになる（図１３（ａ）、（ｂ）参照）。このとき、ポスト５１の接触部５１１とコンタクト４１の先端部４１２とが相対的に摺動するが、接触部５１１のＺ方向幅を移動許容スペースＳ３の距離よりも長くし、分割ハウジング５２Ａ、５２Ｂが許容範囲内で移動した場合に、接触部５１１がコンタクト４１から外れないようにするのが好適である。こうすれば、コンタクト４１とポスト５１との接触状態を常に維持することができる。
【００６６】
また、本実施形態によれば、分割ハウジング５２Ａ、５２Ｂの連結部５２Ｃに、２つの配線基板２、３のＸ方向の相対移動を許容しつつ、相手側の分割ハウジング５２Ｂ、５２Ａに挿入される突起部５２５、５２６を設けている。そのため、ヘッダ５をソケット４から抜去する際に、ヘッダ５が連結部５２Ｃから折れ曲がってしまうのを突起部５２５、５２６によって抑制することができ、より容易に抜去作業を行うことができる。
【００６７】
また、本実施形態によれば、ポスト５１をヘッダハウジング５２の表面側から取り付けるとともに、配線基板２または配線基板３とポスト５１の変形部５１２との間に段差部５２１ａが介在するようにしている。このように、配線基板２または配線基板３とポスト５１の変形部５１２との間に段差部（樹脂製のヘッダハウジング：絶縁部材）５２１ａを介在させることで、配線基板２、３の対向側端面２ａ、３ａとポスト５１との絶縁距離（対向側端面２ａ、３ａからポスト５１の露出部分までの最短距離）を、配線基板２、３の表面２ｂ、３ｂおよび段差部５２１ａの対向側端面５２１ｂに沿った沿面距離とすることができる。
【００６８】
その結果、ポスト５１と配線基板２、３との間の絶縁距離を所定の距離以上に保って耐電圧を確保しつつ、フローティングコネクタ１の薄型化を図ることができるようになる。
【００６９】
また、本実施形態によれば、第１および第２の分割ハウジング５２Ａ、５２Ｂに形成された係止突起５２ｂをソケット４に形成された引掛係止部４２４ａに係止することで、第１および第２の分割ハウジング５２Ａ、５２Ｂがソケット４に係合するようにしている。そのため、第１および第２の分割ハウジング５２Ａ、５２Ｂとソケット４との係合をより簡素な構成で行うことができるようになる。また、ソケット４の上方をヘッダ５が覆うようにした状態でヘッダ５を押し込むだけで、第１および第２の分割ハウジング５２Ａ、５２Ｂをソケット４に係合させることができるようになる。そのため、第１および第２の分割ハウジング５２Ａ、５２Ｂのソケット４への装着をより容易に行うことができるようになる。
【００７０】
また、第１および第２の分割ハウジング５２Ａ、５２Ｂの収容凹部５３を画成する側壁５２ａの内面に、ソケットハウジング４２の引掛係止部４２４ａに係止される係止突起５２ｂを設けている。
【００７１】
ところで、図１６に示すように、ソケット４ＥのＸ方向両側に係止突起４２４Ｅを設け、ヘッダ５Ｅの側壁に係止突起４２４Ｅが係合する係合穴５３１Ｅを形成し、係止突起４２４Ｅを係合穴５３１Ｅに係合させることでヘッダ５Ｅをソケット４Ｅに装着させる構成も考えられる。しかしながら、図１６に示すように、ヘッダ５Ｅの側壁に係合穴５３１Ｅを形成すると、側壁の剛性が低下してしまう。そのため、側壁を撓ませて係止突起４２４Ｅを係合穴５３１Ｅに係合させたり、側壁を撓ませて係止突起４２４Ｅと係合穴５３１Ｅとの係合を解除させたりする際（ヘッダ５Ｅのソケット４Ｅへの着脱の際）に、側壁が破損してしまうおそれがあった。これに対して、本実施形態では、側壁５２ａの内面に係止突起５２ｂを設けているため、図１６の構成に比べて、側壁５２ａの剛性を高めることができるようになる。その結果、ヘッダ５のソケット４への着脱の際に、側壁５２ａが破損してしまうのを抑制することができるようになる。
【００７２】
また、本実施形態によれば、第１および第２の分割ハウジング５２Ａ、５２Ｂの収容凹部５３を画成する側壁５２ａの係止突起５２ｂの近傍に、治具７０のフック部７２（治具７０）を引っ掛ける凹部（引掛部）５２ｉを形成している。すなわち、側壁５２ａの比較的撓ませやすい部位に凹部（引掛部）５２ｉを形成している。そのため、側壁５２ａの係止突起５２ｂの近傍を治具７０を用いて容易に撓ませることができ、より容易にヘッダ５を取り外せるようになる。
【００７３】
さらに、本実施形態によれば、ポスト５１をヘッダハウジング５２の表面５２ｆ側から取り付けた際に、ポスト５１の表面５１ａがヘッダハウジング５２の表面５２ｆよりも下方に位置するようになっている。そのため、ポスト５１の露出部分に使用者等の手が触れてしまうのが抑制される。したがって、ポスト５１の露出部分に樹脂コーティングを施さなくても、使用者等が感電してしまうのを抑制することができるようになる。
【００７４】
（第２実施形態）
本実施形態にかかるフローティングコネクタ１Ａは、上記第１実施形態とほぼ同様の構成をしており、ソケット４とヘッダ５とを備えている。そして、ヘッダ５を一対のソケット４に跨って装着することで、２つの配線基板２、３を、ＸＹ平面（ヘッダ５の着脱方向に垂直な平面）方向の位置ずれを吸収しつつ電気的に接続するようにしている。さらに、ヘッダ５を一対のソケット４に跨って装着することで、２つの配線基板２、３を、Ｚ方向（ヘッダ５の着脱方向：装着方向）の位置ずれを吸収しつつ電気的に接続するようにしている。
【００７５】
また、本実施形態においても、ヘッダ５はヘッダハウジング５２を備えている。そして、ヘッダハウジング５２は、Ｙ方向に分割され、Ｘ方向に相対移動可能に連結される第１および第２の分割ハウジング（一対の分割ハウジング）５２Ａ、５２Ｂを備えている。
【００７６】
また、ヘッダハウジング５２の表面５２ｆ側からポスト５１を収納するようになっている。
【００７７】
ここで、本実施形態のフローティングコネクタ１Ａが上記第１実施形態のフローティングコネクタ１と主に異なる点は、ポスト５１に、収容凹部５３の底面に突き当たってポスト５１の離脱側への移動を抑制する突き当たり部５１５を設けたことにある。
【００７８】
具体的には、ポスト５１のＹ方向両端に、ポスト５１をヘッダハウジング５２の収容溝５２ｇに収納した際に、浅溝（貫通孔）５２８ａを貫通する突き当たり部５１５を設けている。そして、この突き当たり部５１５は、図１７に示すように、Ｘ方向外側に折曲されており、先端部がＸ方向に弾性変形できるようになっている。したがって、ポスト５１をヘッダハウジング５２の収容溝５２ｇに収納した際には、突き当たり部５１５は、先端部をＸ方向に弾性変形させながら、浅溝（貫通孔）５２８ａを貫通することとなる。そして、浅溝（貫通孔）５２８ａを貫通した突き当たり部５１５は、元の状態に復元して先端が収容凹部５３の底面（第１および第２の分割ハウジング５２Ａ、５２Ｂの天面５２ｅ）に突き当たることとなる。
【００７９】
このように、突き当たり部５１５の先端を収容凹部５３の底面（第１および第２の分割ハウジング５２Ａ、５２Ｂの天面５２ｅ）に突き当てることで、ポスト５１の離脱側（Ｚ方向上側）への移動を規制している。
【００８０】
また、ヘッダ５を一対のソケット４,４に装着した状態で、ヘッダハウジング５２の裏面５２ｄ側（２つの配線基板２，３が配置される側）における一対のソケット４，４の間に、凹部５２ｊが形成されている点も上記第１実施形態とは異なっている。
【００８１】
本実施形態では、凹部５２ｊは、Ｘ方向から視た際に、山型となるように形成されており、Ｘ方向の全幅にわたって形成されている（図２０参照）。なお、凹部５２ｊは、２つの配線基板２、３の互いに対向する側の先端がヘッダハウジング５２の裏面５２ｄと干渉するのを抑制するために形成したものである。
【００８２】
以上の本実施形態によっても、上記第１実施形態とほぼ同様の作用、効果を奏することができる。
【００８３】
また、本実施形態によれば、ポスト５１に、収容凹部５３の底面に突き当たってポスト５１の離脱側への移動を抑制する突き当たり部５１５を設けている。
【００８４】
ところで、上記第１実施形態のように、圧入によりポスト５１をヘッダハウジング５２の収容溝５２ｇに収納させた構成だと、ポスト５１がヘッダハウジング５２から抜け出てしまうおそれがあった。すなわち、図２１に示すように、ヘッダ５をソケット４に対して傾斜させた状態で装着させようした場合に、ポスト５１がソケットハウジング４２に接触してしまい、ポスト５１がヘッダハウジング５２から飛び出してしまうおそれがあった。
【００８５】
しかしながら、本実施形態では、ポスト５１に、収容凹部５３の底面に突き当たってポスト５１の離脱側への移動を抑制する突き当たり部５１５を設けたため、ポスト５１がヘッダハウジング５２から抜け出てしまうのを抑制することができるようになる。すなわち、ヘッダ５をソケット４に対して傾斜させた状態で装着させようした場合であっても、ポスト５１がヘッダハウジング５２から飛び出してしまうのが抑制されるため、ヘッダ５をソケット４により確実に装着させることができるようになる。
【００８６】
さらに、本実施形態によれば、ヘッダ５を一対のソケット４,４に装着した状態で、ヘッダハウジング５２の裏面５２ｄ側（２つの配線基板２，３が配置される側）における一対のソケット４，４の間に、凹部５２ｊを形成している。そのため、第１および第２の分割ハウジング５２Ａ、５２Ｂがソケット４に対して相対移動した際に、２つの配線基板２、３の互いに対向する側の先端がヘッダハウジング５２の裏面５２ｄと干渉するのを抑制することができる。すなわち、図１９に示すように、上記第１実施形態のように裏面５２ｄが略平坦な構成では、Ｚ方向にフロートさせた際に、２つの配線基板２、３の互いに対向する側の先端が裏面５２ｄに干渉してしまい、それぞれ、Ｄ４、Ｄ５しかフロートさせることができない。しかしながら、本実施形態の構成では、２つの配線基板２、３の互いに対向する側の先端がヘッダハウジング５２の裏面５２ｄと干渉するのを抑制できるため、図２０に示すように、それぞれ、Ｄ６（＞Ｄ４）、Ｄ７（＞Ｄ５）までフロートさせることができるようになる。
【００８７】
以上、本発明の好適な実施形態について説明したが、本発明は上記実施形態には限定されず、種々の変形が可能である。
【００８８】
例えば、上記各実施形態では、ソケットやヘッダの形状が矩形状のものを例示したが、それ以外の形状であっても本発明を適用することができる。
【００８９】
また、上記各実施形態では、分割ハウジングの連結部に突起部を３箇所設けたものを例示したが、分割ハウジングの折れ曲がりを効果的に抑制できる構成であればよく、例えば、突起部が櫛歯状に形成されていてもよい。
【００９０】
また、上記各実施形態では、ヘッダをソケットに着脱可能に装着したものを例示したが、ソケットに装着したヘッダを取り外さないタイプのものに本発明を適用することも可能である。
【００９１】
また、コンタクトやポスト、その他細部のスペック（形状、大きさ、レイアウト等）も適宜に変更可能である。
【符号の説明】
【００９２】
１，１Ａ  フローティングコネクタ
２、３  配線基板
４  ソケット
５  ヘッダ
５１  ポスト
５１ａ  表面
５１１  接触部
５１２  変形部
５１５  突き当たり部
５２  ヘッダハウジング
５２ａ  側壁
５２ｂ  係止突起
５２ｆ  表面
５２ｉ  凹部（引掛部）
５２ｊ  凹部
５２Ａ  第１の分割ハウジング
５２Ｂ  第２の分割ハウジング
５３  収容凹部
７０  治具
Ｓ、Ｓ１、Ｓ２、Ｓ３  移動許容スペース
【図１】
2013178982.tif 000003
【図２】
2013178982.tif 000004
【図３】
2013178982.tif 000005
【図４】
2013178982.tif 000006
【図５】
2013178982.tif 000007
【図６】
2013178982.tif 000008
【図７】
2013178982.tif 000009
【図８】
2013178982.tif 000010
【図９】
2013178982.tif 000011
【図１０】
2013178982.tif 000012
【図１１】
2013178982.tif 000013
【図１２】
2013178982.tif 000014
【図１３】
2013178982.tif 000015
【図１４】
2013178982.tif 000016
【図１５】
2013178982.tif 000017
【図１６】
2013178982.tif 000018
【図１７】
2013178982.tif 000019
【図１８】
2013178982.tif 000020
【図１９】
2013178982.tif 000021
【図２０】
2013178982.tif 000022
【図２１】
2013178982.tif 000023